(57)【要約】      （修正有）【課題】ペットに容易に装着することができ、排泄物の回収も容易に行えるペット用簡易トイレを提供する。【解決手段】ペット用簡易トイレは、一対の挟み部材２、３を一定の角度で交差させるように開閉自在に接続し、ペットの尻尾部１を複数の円筒状の緩衝材を介して一対の挟み部材２、３で挟持させるとともに、一方の挟み部材３に排泄物収納袋５の取付部材４を設け、この取付部材４により排泄物収納袋５を他方の挟み部材２と対向する側に係止して、尻尾部１を一対の挟み部材２、３で挟持した際に、ペットの肛門に排泄物収納袋５の開口部６が当接されるように構成した。【選択図】図１
0003230496.tif 000002
【実用新案登録請求の範囲】
【請求項１】
ペットの排泄物を収納するための一つの開口部を有する排泄物収納袋と、前記ペットの尻尾部を挟持するための挟持部材と前記排泄物収納袋を取り付けるための取付部材を一体的に構成した簡易トイレ本体と、からなるペット用簡易トイレ。
【請求項２】
前記挟持部材は、接続された一対の挟み部材からなり、前記一対の挟み部材は接続された位置から前方に挟持部と後方に把持部とを有し、前記挟持部は前記把持部により開閉自在に構成し、円筒状の緩衝材を前記挟持部が前記ペットの尻尾部を挟持する側に複数配置したことを特徴とする請求項１に記載のペット用簡易トイレ。
【請求項３】
前記一対の挟み部材は、それぞれの挟み部材が一定の角度で交差して開閉し、前記ペットの尻尾部を挟持するように接続されていることを特徴とする請求項２に記載のペット用簡易トイレ。
【請求項４】
前記取付部材には、前記排泄物収納袋に設けた穴と係止する凸部が設けられており、前記取付部材の一部を押圧することにより、前記凸部が突出するように構成したことを特徴とする請求項１から３のいずれか一つに記載のペット用簡易トイレ。
【請求項５】
前記取付部材は、前記一対の挟み部材のうち一方の挟み部材の前記把持部に接続されており、他方の挟み部材の前記挟持部と対向する側に前記凸部が突出するように構成されていることを特徴とする請求項４に記載のペット用簡易トイレ。
【請求項６】
前記排泄物収納袋は、前記開口部に前記凸部と係止するための穴が設けられており、折り畳み可能な紙又は樹脂から構成されていることを特徴とする請求項4又は５に記載のペット用簡易トイレ。
【考案の詳細な説明】
【技術分野】
【０００１】
本考案は、ペット用簡易トイレに関し、特に、ペットに容易に装着することができて、排泄物の回収も容易に行えるように構成したペット用簡易トイレに関するものである。
【背景技術】
【０００２】
ペットの肛門に開口部を臨ませて、糞を簡易かつ迅速に回収できるようにした糞収容袋及びペット用おむつがある（例えば、特許文献１参照）。
この糞収容袋及びペット用おむつは、糞収容袋が、本体の長手方向の腹当接部と背当接部との間であって、ペットの肛門に臨む位置にある開口部を有したペット用おむつに装着される糞を収納する糞収容袋であって、糞収納袋の開口部は、ペットの肛門に臨むように、ペット用おむつの開口部の縁部に取り付けられ、糞収納袋の端部は閉塞するとともに、本体の外側に位置し、糞収納袋は、ペットの尻尾を通す尻尾穴を備え、糞収納袋は、上部に開口部を有する柔軟性のある合成樹脂製の樹脂袋で、糞収納袋の開口部の裏面側を本体の内側の開口部の縁部に接着剤で接着することができるように構成されている。
【０００３】
しかし、ペットは、おむつの腹当接部と背当接部により体が圧迫されてペットの自由行動が常時制約されることになる。また、これらの当接部が汚れたような場合には、衛生上、その都度おむつの交換が必要となる。糞収納袋を装着する際には、糞収納袋の尻尾穴にペットの尻尾を通してから、糞収納袋の開口部をペットの肛門に臨むように取り付けなければならない。このような作業は、元来、多くのペットはおむつを装着することに慣れていないため、おむつを取り除くような動きをしたり、ペットが動き回っているような場合に、容易ではない。しかも、よりしっかりとおむつを装着状態に維持することが望まれる。
また、ペットが排便をした後の糞収容袋の取り外しをする際には、ペットが動き回ると接着剤の取り外しが容易ではなく、糞収容袋から糞などが外部に散乱するおそれもある。
【０００４】
一般に、ペット用おむつは、ペットの体の大きさの変化に応じて適用できるようにするため、ペットの成長や体形に応じて、異なるサイズのものを購入する必要が生じる。また、ペットが犬、猫など、ペットの種類に応じて異なる仕様のものを購入する必要がある。おむつ自体も、ペットにしっかり装着できるような大きなものが必要となり、安価に製造できるものではない。
【先行技術文献】
【特許文献】
【０００５】
【特許文献１】特開２０１９−２２４６６号公報
【考案の概要】
【考案が解決しようとする課題】
【０００６】
解決しようとする問題点は、上記のようなペット用おむつを使用すると、腹当接部と背当接部によってペットの体を締め付ける構成であるため、ペットの自由な動きが制約されるとともに、おむつの取り付けや取り外しも容易ではない点である。また、糞収容袋の着脱も、同様に、簡単にできない。さらに、構成上、高価なものとなる。
【課題を解決するための手段】
【０００７】
本考案は、ペットの尻尾部を挟持できるように構成して、装着した際に、ペットの肛門に排泄物収容袋が当接できるように構成したことを特徴とするペット用簡易トイレを提供する。また、排泄物収納袋はペット用簡易トイレ本体から容易に離脱可能な構成としたことを特徴とする。
【考案の効果】
【０００８】
本考案のペット用簡易トイレは、ペットの尻尾部に支持できるため、ペットの種類や体形によらず装着することが可能となり、取り付けも尻尾部に挟持させるだけであるため容易である。排泄物収納袋がペットの肛門に直接当接される構造であるため、排泄物収納袋をペットに装着するための部材を、ペット側に設ける必要がなくなる。構成上、安価に製造できる。
また、トイレ本体から排泄物収納袋の取り外しは、排泄物収納袋に人手が触れることなくできるため、衛生上、好ましい。
【図面の簡単な説明】
【０００９】
【図１】本考案の一実施形態に係るペット用簡易トイレを、ペットである犬に適用したところを示す図である。
【図２】図１のペット用簡易トイレにおける簡易トイレ本体の図である。
【図３】図１のペット用簡易トイレにおける簡易トイレ本体を上から見た図である。
【図４】図１のペット用簡易トイレにおける取付部材の一部を押圧したときの、簡易トイレ本体を上から見た図である。
【図５】図１のペット用簡易トイレにおける排泄物収納袋の図である。
【図６】図１のペット用簡易トイレにおける簡易トイレ本体に排泄物収納袋を係止した状態を示す図である。
【考案を実施するための形態】
【００１０】
ペットに容易に装着できて、しかも排泄物収納袋が簡単に取り外せるようにした、安価なペット用簡易トイレを実現するものである。
以下、本考案に係る実施態様を添付図面に基づいて説明する。同一の部品（又は構成）には同一の符号を付してあり、それらの名称及び機能も同じである。したがって、それらについての詳細な説明は繰返さない。
【実施例】
【００１１】
図１は、本考案の一実施形態に係るペット用簡易トイレをペットである犬に適用したところを示す図である。なお、以下では、ペットとしての犬への適用例を説明するが、本考案に係る製品が適用されるペットは犬に限らず、猫などであってもよい。ペット用簡易トイレは、簡易トイレ本体と排泄物収納袋５から構成されている。
【００１２】
図中、ペットである犬の尻尾部１は、上部挟み部材２及び下部挟み部材３により挟持されている。また、下部挟み部材３に取り付けられた取付部材４には、排泄物収納袋５が係止されており、排泄物収納袋５の開口部６が犬の肛門に向けて当接されている。これにより、犬の出した排泄物は、排泄物収納袋５に収納されることになる。
【００１３】
図２は、本考案のペット用簡易トイレにおける簡易トイレ本体の図である。簡易トイレ本体は、挟持部材７と、この挟持部材７と一体的に構成されている排泄物収納袋５を取り付けるための取付部材４から構成されている。
挟持部材７は、上部挟み部材２と下部挟み部材３がねじりコイルばね９により開閉自在に接続された、一対の挟み部材から構成されている。
【００１４】
上部挟み部材２及び下部挟み部材３の接続位置から前方の挟持部は、湾曲されており、その向き合う側、すなわち、ペットの尻尾部１を挟持する側には、複数の円筒状の突起部から構成された緩衝材１０が設けられている。緩衝材１０は、プラスチック製の軟化樹脂で作製されて、ペットの尻尾部１を一対の挟み部材で挟持した際に、ペットの挟持による痛みを和らげるとともに、尻尾部１の形状の自由度に対応してしっかりと固定できるようにしたものである。また、後方の把持部を押さえることにより、一対の挟み部材を自由に開閉できる。
【００１５】
取付部材４は、下部挟み部材３に一体的に取り付けられており、押圧部８と支え部１１から構成されている。支え部１１で取付部材４を保持しながら押圧部８を押すことにより、凸部１３（図４）が突出するように構成されている。押圧部８の内部は、図示しないばねで構成されており、押圧部８を押したときだけ、凸部１３が突出して、離すと元の状態（図３）に戻るようになっている。また、取付部材４は、凸部１３が上部挟み部材２と対向する側に突出するように、下部挟み部材３に取り付けられている。
【００１６】
図３は、本考案のペット用簡易トイレにおける簡易トイレ本体を上から見た図であり、図４は、本考案のペット用簡易トイレにおける取付部材４の押圧部８を押圧したときの、簡易トイレ本体を上から見た図である。押圧部８を押すことにより、支持板１２が突出して、これに取り付けられた凸部１３が突出する構成になっている。
上部挟み部材２と下部挟み部材３は、一定の角度（１０〜２０°）で交差するように接続されている。これにより、ペットの尻尾部１を挟持したときに、上部挟み部材２と下部挟み部材３が尻尾部１の異なる箇所をそれぞれ反対方向から押圧することで、尻尾部１を跳ね上がらせる（持ち上げる）ことができる。
【００１７】
図５は、本考案のペット用簡易トイレにおける排泄物収納袋の図であり、図６は、本考案のペット用簡易トイレにおける簡易トイレ本体に排泄物収納袋５を係止した状態を示す図である。排泄物収納袋５は、開口部６と係止穴１４を有する保持板１５と、この保持板１５を囲むように接着されている収納袋１６から構成されている。収納袋１６は、柔軟性のある合成樹脂製の袋であり、係止する前は、通常折り目１７に沿って折り畳まれている。係止穴１４は、取付部材４の支持板１２に設けた凸部１３に係止できるようになっている。保持板１５は、プラスチックや厚紙などで作製されており、弾力性を持たせている。係止穴１４に凸部１３を係止するためには、取付部材４の押圧部８を押して、凸部１３を突出させてから係止させる。
【００１８】
次に、本考案のペット用簡易トイレをペットの尻尾部１に装着する方法について、説明する。まず、排泄物収納袋５の開口部６をペットの肛門に向けて対面させるようにして、上部挟み部材２と下部挟み部材３により、ペット用簡易トイレをペットの尻尾部１に挟持させる。これにより、弾力性のある保持板１５がペットの肛門の周りに圧接されて、ペットから出た排泄物は漏れなく開口部６から排泄物収納袋５に収納されることになる。
また、上部挟み部材２と下部挟み部材３が交差して挟持することにより、尻尾部１の端部にむけて尻尾を押し上げるように作用し、尻尾の動きにより排泄物収納袋５が乱されることがない。使用済みの排泄物収納袋５は、簡易トイレ本体の押圧部８を押すことにより、容易に離脱できるため、人手に触れることなくゴミ箱にそのまま回収できて、衛生上好ましい。
【産業上の利用可能性】
【００１９】
本考案に係るペット用簡易トイレは、野外の糞尿禁止場所や室内でのペットに対して用いることができるが、ペットの介護用品として用いることも可能である。また、排泄物収納袋は交換品又は使い捨て品として販売することができる。
【符号の説明】
【００２０】
１    尻尾部
２    上部挟み部材
３    下部挟み部材
４    取付部材
５    排泄物収納袋
６    開口部
７    保持部材
８    押圧部
９    ねじりコイルばね
１０  緩衝材
１１  支え部
１２  支持板
１３  凸部
１４  係止穴
１５  保持板
１６  収納袋
１７  折り目
【図１】
0003230496.tif 000003
【図２】
0003230496.tif 000004
【図３】
0003230496.tif 000005
【図４】
0003230496.tif 000006
【図５】
0003230496.tif 000007
【図６】
0003230496.tif 000008
【手続補正書】
【提出日】令和2年11月25日(2020.11.25)
【手続補正１】
【補正対象書類名】実用新案登録請求の範囲
【補正対象項目名】請求項４
【補正方法】変更
【補正の内容】
【請求項４】
前記取付部材には、前記排泄物収納袋に設けた穴と係止する凸部が設けられており、前記取付部材の一部を押圧することにより、前記凸部が突出するように構成したことを特徴とする請求項２又は３に記載のペット用簡易トイレ。